(57)【要約】  本発明の、回収される廃棄物を投函するための利用者端末を用いた廃棄物回収システム１において、広告主から広告費の支払いを受けるのと引き換えにコンテンツの提供を受け付けるコンテンツ受付手段と、広告主から提供されるコンテンツに関する情報であるコンテンツ情報を記憶するコンテンツ情報記憶手段と、利用者端末にコンテンツの配信を行うコンテンツ配信手段と、利用者端末に配信されたコンテンツを、利用者端末に設けられたディスプレイに表示させるコンテンツ表示手段と、を備える。【選択図】図２
2020026375.tif 000002
【特許請求の範囲】
【請求項１】
回収される廃棄物を投函するための利用者端末を用いた廃棄物回収システムであって、
広告主から広告費の支払いを受けるのと引き換えにコンテンツの提供を受け付けるコンテンツ受付手段と、
広告主から提供される前記コンテンツに関する情報であるコンテンツ情報を記憶するコンテンツ情報記憶手段と、
前記利用者端末に前記コンテンツの配信を行うコンテンツ配信手段と、
前記利用者端末に配信された前記コンテンツを、前記利用者端末に設けられたディスプレイに表示させるコンテンツ表示手段と、を備える廃棄物回収システム。
【請求項２】
前記コンテンツ情報記憶手段に記憶された前記コンテンツ情報に基づいてコンテンツ配信のスケジュールを作成する配信スケジュール作成手段をさらに備え、
前記コンテンツ配信手段は、前記配信スケジュール作成手段が作成したコンテンツ配信のスケジュールに基づいて利用者端末にコンテンツの配信を行う、請求項１に記載の廃棄物回収システム。
【請求項３】
前記利用者端末に表示される前記コンテンツが、利用者が前記コンテンツに対してアクションする手段を備える、請求項１又は２に記載の廃棄物回収システム。
【請求項４】
前記アクションする手段が、タッチパネルによる操作、ＵＲＬの表示又はＱＲコードの表示の少なくともいずれか一つによって構成される、請求項３に記載の廃棄物回収システム。
【請求項５】
前記コンテンツ情報が、前記コンテンツを配信するターゲットに関する情報及び／又はコンテンツを配信するタイミングに関する情報を含む、請求項１〜４のいずれかに記載の廃棄物回収システム。
【発明の詳細な説明】
【技術分野】
【０００１】
本発明は、廃棄物回収システムに関し、特に、オフィス等の事業所において排出される機密性の高い文書を回収して処理するためのシステムとして有用なものである。
【背景技術】
【０００２】
ペーパーレス化が進む現在社会においても、紙を使用した文書の管理はなくなってはいない。オフィス等の事業所において排出される機密性の高い文書や、家庭から排出される個人情報を含む文書の処理は、情報漏えい防止の観点から、事業所内においてシュレッダーにかけて廃棄処分するか、廃棄物回収業者に依頼することにより、有償で処分を行っている。【０００３】
文書を事業所内のシュレッダーによって細断処理する場合、情報漏えいの心配なく機密文書を処分することができる一方、シュレッダーで細断処理する際の人件費や処理コストは企業にとってかなりの負担である。また、廃棄物回収業者に依頼した場合、社内における人件費はかからないが、廃棄物回収業者に支払う外注費用がかかってしまう。【０００４】
そこで、近年においては、文書の機密性を保持したまま、回収業者が文書を回収する試みがなされている。（特許文献１）。【０００５】
【特許文献１】特開２０１７−２１０３４６号公報
【発明の概要】
【発明が解決しようとする課題】
【０００６】
特許文献１に記載された発明は、オフィス等に文書の回収容器が設置され、回収容器が収集運搬業者によって廃棄物処理場内に搬入されると、その情報が利用者端末に対して送信されるようになっている。しかしながら、このような技術によると、収集運搬業者に支払う費用に加え、システムの運用や情報通信のためのコストがかかるため、非常に高額なシステムとなってしまい、多くの企業はシステムを導入することができない。【０００７】
本発明は、上記の課題に鑑みてなされたものであり、導入する企業にとって追加の費用が発生することなく、文書を含む廃棄物を回収するためのシステムを提供することを目的とする。
【課題を解決するための手段】
【０００８】
本発明では、以下のような解決手段を提供する。【０００９】
第１の特徴に係る発明は、回収される廃棄物を投函するための利用者端末を用いた廃棄物回収システムであって、広告主から広告費の支払いを受けるのと引き換えにコンテンツの提供を受け付けるコンテンツ受付手段と、広告主から提供される前記コンテンツに関する情報であるコンテンツ情報を記憶するコンテンツ情報記憶手段と、前記利用者端末に前記コンテンツの配信を行うコンテンツ配信手段と、前記利用者端末に配信された前記コンテンツを、前記利用者端末に設けられたディスプレイに表示させるコンテンツ表示手段と、を備えるシステムを提供する。【００１０】
第１の特徴に係る発明によれば、広告主から広告費の支払いを受けるのと引き換えにコンテンツの提供を受け付けるコンテンツ受付手段を備えているため、広告主から支弁される広告費によってシステムを運用することができ、利用者が廃棄物回収のための費用を負担する必要のないシステムを提供できる。また、利用者端末に設けられたディスプレイに広告主から配信されるコンテンツを表示することができるため、単なる廃棄物の回収ボックスとしての機能に加え、デジタルサイネージの機能を有する利用者端末を用いた利便性の高いシステムを構築することができる。【００１１】
第２の特徴に係る発明は、第１の特徴に係る発明であって、前記コンテンツ情報記憶手段に記憶された前記コンテンツ情報に基づいてコンテンツ配信のスケジュールを作成する配信スケジュール作成手段をさらに備え、前記コンテンツ配信手段は、前記配信スケジュール作成手段が作成したコンテンツ配信のスケジュールに基づいて利用者端末にコンテンツの配信を行うシステムを提供する。【００１２】
第２の特徴に係る発明によれば、コンテンツ情報に基づいてコンテンツ配信のスケジュールを作成する配信スケジュール作成手段を備えているため、きめの細かい配信が可能なシステムを提供できる。【００１３】
第３の特徴に係る発明は、第１又は第２の特徴に係る発明であって、前記利用者端末に表示される前記コンテンツが、利用者が前記コンテンツに対してアクションする手段を備えるシステムを提供する。【００１４】
第３の特徴に係る発明によれば、利用者端末に表示される前記コンテンツが、利用者が前記コンテンツに対してアクションする手段を備えているため、利用者の即時の購買行動につながりやすく、スムーズかつダイレクトな企業間取引を実現することが可能なシステムを提供できる。【００１５】
第４の特徴に係る発明は、第３の特徴に係る発明であって、前記アクションする手段が、タッチパネルによる操作、ＵＲＬの表示又はＱＲコード（登録商標）の表示の少なくともいずれか一つによって構成されるシステムを提供する。【００１６】
第４の特徴に係る発明によれば、前記アクションする手段が、タッチパネルによる操作、ＵＲＬの表示又はＱＲコードの表示の少なくともいずれか一つによって構成されているため、直観的で誰にでも操作のしやすいシステムを提供できる。【００１７】
第５の特徴に係る発明は、第１〜第４のいずれかの特徴に係る発明であって、前記コンテンツ情報が、前記コンテンツを配信するターゲットに関する情報及び／又はコンテンツを配信するタイミングに関する情報を含むシステムを提供する。【００１８】
第５の特徴に係る発明によれば、前記コンテンツ情報が、前記コンテンツを配信するターゲットに関する情報及び／又はコンテンツを配信するタイミングに関する情報を含むため、広告主が配信を希望する利用者に対してダイレクトにコンテンツを提供できるようになり、スムーズかつダイレクトな企業間取引につながりやすく、コンテンツとして配信される広告の効果を一層高めることができる。そのため、広告主が広告を出すモチベーションが得られやすく、多くの広告主が本システムを使用することにつながり、廃棄物の回収及び処理に係る費用を広告主による広告費で賄うことができ、回収ボックスを社内に設置する利用者にとっても、余計な費用負担のないシステムを構築することが可能となる。
【発明の効果】
【００１９】
本発明によれば、導入する企業にとって追加の費用が発生することなく、文書を含む廃棄物を回収するためのシステムを提供できる。
【図面の簡単な説明】
【００２０】
【図１】図１は、本実施形態における廃棄物回収システム１のハードウェア構成とソフトウェア機能を示すブロック図である。
【図２】図２は、回収される廃棄物を投函するための利用者端末の一例を示す図である。
【図３】図３は、本実施形態における廃棄物を回収する方法を示すフローチャートである。
【図４】図４は、本実施形態におけるコンテンツを配信する方法を示すフローチャートである。
【図５】図５は、コンテンツデータベースの一例を示す図である。
【図６】図６は、利用者端末に表示されるコンテンツの一例を示す図である。
【発明を実施するための形態】
【００２１】
以下、本発明を実施するための形態について図を参照しながら説明する。なお、これはあくまでも一例であって、本発明の技術的範囲はこれに限られるものではない。
【００２２】
［廃棄物回収システム１の構成］
図１は、本実施形態における廃棄物回収システム１のハードウェア構成とソフトウェア機能を説明するためのブロック図である。
【００２３】
廃棄物回収システム１は、データを制御する制御部１０と、ユーザや他の機器と通信を行う通信部２０と、データを記憶する記憶部３０と、ユーザからの情報の入力を受け付ける入力部４０と、制御部１０で制御したデータや画像を出力する表示部５０と、利用者端末１００とを備える。
【００２４】
制御部１０は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を備える。
【００２５】
通信部２０は、他の機器と通信可能にするためのデバイス、例えば、ＩＥＥＥ８０２．１１に準拠したＷｉ−Ｆｉ（Ｗｉｒｅｌｅｓｓ  Ｆｉｄｅｌｉｔｙ）対応デバイスを備える。
【００２６】
制御部１０は、所定のプログラムを読み込み、必要に応じて通信部２０及び／又は記憶部３０と協働することで、コンテンツ受付モジュール１１と、配信スケジュール作成モジュール１２と、コンテンツ配信モジュール１３と、コンテンツ表示モジュール１４とを実現する。
【００２７】
記憶部３０は、データやファイルを記憶する装置であって、ハードディスクや半導体メモリ、記録媒体、メモリカード等による、データのストレージ部を備える。記憶部３０は、後に説明するコンテンツデータベース３１を記憶する。
【００２８】
入力部４０の種類は、特に限定されない。入力部４０として、例えば、キーボード、マウス、タッチパネル等が挙げられる。
【００２９】
表示部５０の種類は、特に限定されない。表示部５０として、例えば、モニタ、タッチパネル等が挙げられる。
【００３０】
［利用者端末１００の構成］
次に、本実施形態における廃棄物回収システム１を構成する利用者端末１００について説明する。
【００３１】
図２に示すように、利用者端末１００は機密性の高い文書やその他の廃棄物を回収する機能を有する回収ボックス１１０として構成されている。利用者端末１００には、廃棄物を投函するための投函口１２０が設けられており、利用者は回収事業者に回収してほしい廃棄物を投函口１２０から投函することができる。
【００３２】
回収ボックス１１０の中には図示しない回収袋が設けられており、投函口１２０から投函された廃棄物は回収袋の中に収容されるようになっている。投函された廃棄物を回収事業者が回収する際には、回収ボックス１１０を回収するのではなく、回収ボックス１１０の中に設置された回収袋を回収するようになっている。回収事業者が回収袋を回収する際には、新たな別の回収袋を回収ボックス１１０の中に設置するようになっている。
【００３３】
回収ボックス１１０には図示しない通信回路が設けられており、例えば、ＩＥＥＥ８０２．１１に準拠したＷｉ−Ｆｉ（Ｗｉｒｅｌｅｓｓ  Ｆｉｄｅｌｉｔｙ）対応デバイスを備え、他の機器と通信可能に構成されている。
【００３４】
また、回収ボックス１１０にはディスプレイ１３０が設けられており、該ディスプレイ１３０には後述する配信スケジュールに従って、広告主から廃棄物回収システム１及び前記通信回路を経由して配信される前記コンテンツが表示されるようになっている。ディスプレイ１３０はタッチパネルによって構成されており、後述のように、タッチパネルを操作することにより、コンテンツ内に表示される商品を注文することが可能となっている。
【００３５】
なお、図２においては、上面に投函口１２０が、前面にディスプレイ１３０が設けられているが、これに限ったものではなく、投函口１２０が前面に設けられ、ディスプレイ１３０が上面に設けられたものであっても構わない。また、投函口１２０及びディスプレイ１３０が、ともに、上面又は前面に設けられていても構わない。
【００３６】
また、本実施形態においては、図示しない通信回路とディスプレイ１３０とが回収ボックス１１０と一体化して設けられている例について示したが、これに限ったものでなく、通信回路とディスプレイとを備えたタブレット端末を用い、該タブレット端末を回収ボックス１１０に着脱自在に備えるようにしたものであってもよい。このようにすることで、回収事業者が廃棄物を回収する際、タブレット端末を取り外して回収ボックス１１０ごと回収することができるため、回収袋が必要なくなるといった効果を奏する。また、通信回路とディスプレイ１３０とが回収ボックス１１０と一体化して設けられている場合、ディスプレイに表示される商品を購入するためには、回収ボックスが設置されている場所で、購入のための操作を行う必要があるが、タブレット端末を使用した場合には、そのような操作を、自席など回収ボックスが設置されている場所以外の場所においてできるようになるため、使い勝手の良いシステムを構築することができる。
【００３７】
［廃棄物回収システム１を用いた廃棄物回収方法を示すフローチャート］
図３は、廃棄物回収システム１を用いた廃棄物回収方法を示すフローチャートである。図３を用いて、利用者によって排出され、回収を希望する廃棄物がどのように扱われるかについて説明する。
【００３８】
〔ステップＳ１１０：廃棄物の投函〕
利用者は、回収を希望する機密性の高い文書を含む廃棄物を、利用者端末１００である回収ボックス１１０に投函する。投函の際には、回収ボックス１１０に設けられた投函口１２０から投函し、投函された廃棄物は回収ボックス１１０内に設置された回収袋の中に収容される（ステップＳ１１０）。
【００３９】
回収ボックス１１０のディスプレイには、現在収容されている廃棄物の量が表示されるようになっており、廃棄物が投函されると、表示されている廃棄物の収容量が増えるようになっている。このようにすることで、投函された廃棄物の量を把握しやすく、使い勝手の良いシステムを構築することができる。
【００４０】
〔ステップＳ１２０：廃棄物の回収〕
回収ボックス１１０内に投函された廃棄物は、回収事業者によって回収される（ステップＳ１２０）。回収事業者は、予め定められたスケジュールに従って、各所に設置されている利用者端末を巡回し、廃棄物の回収を行う。
【００４１】
ここで、回収ボックス１１０にはセキュリティロックがかけられており、一度投函した廃棄物は投函口から取り出すことができず、指定された回収事業者のみが回収ボックス１１０を開き、投函された廃棄物を回収袋ごと回収することができる。
【００４２】
〔ステップＳ１３０：廃棄物の溶解・再生処理〕
ステップＳ１２０で回収された廃棄物は、処理事業者が所有する処理場に移動され、再生のための処理を施される（ステップＳ１３０）。本実施形態においては、古紙などの紙類は溶解処理され、その後、紙製品として再生されることになる。
【００４３】
〔ステップＳ１４０：ノベルティの作成〕
再生された紙類は様々なノベルティとして再び製品化され、企業の販促等の用途として使用される。なお、販促用ではなく、販売用の商品として再生することも可能である。また、回収される廃棄物の量に応じて、作成されるノベルティが決定されるよう構成されている。その際、回収ボックス１１０のディスプレイ１３０には、現在収容されている廃棄物の量を表示するのに加え、その量に対応するノベルティの種類を表示させるよう構成することができる。このようにすることで、リサイクルを可視化させてリサイクルの意識を高めることができ、より効果的な廃棄物回収のシステムを構築することが可能となる。
【００４４】
以上のプロセスにより、利用者によって回収ボックス１１０に投函された廃棄物が再生される。
【００４５】
［廃棄物回収システム１を用いたコンテンツ配信方法を示すフローチャート］
図４は、廃棄物回収システム１を用いたコンテンツ配信方法を示すフローチャートである。また、図５は、コンテンツデータベース３１の一例を示す図である。図１〜図５を用いて、上述した各ハードウェアと、ソフトウェアモジュールが実行する処理について説明する。
【００４６】
〔ステップＳ２１０〜Ｓ２２０：コンテンツ受付許可〕
廃棄物回収システム１の利用に先立ち、広告主は、廃棄物回収システム１に対し、インターネット回線を通じてコンテンツ受付の許可をリクエストする（ステップＳ２１０）。このリクエストは、広告主が廃棄物回収システム１に対して、自社の広告であるコンテンツを送付することの許可を受けるためのものであり、この許可を受けない限り、広告主はコンテンツを廃棄物回収システム１に送付することができない。
【００４７】
コンテンツ受付の許可のリクエストを受信すると、廃棄物回収システム１の制御部１０はコンテンツ受付モジュール１１を実行し、広告主から広告費が支払われていることを確認することを条件として、コンテンツの受付を許可する（ステップＳ２２０）。ここで、広告費が支払われていることが確認できなければ、コンテンツ受付モジュール１１はコンテンツの受付を許可しないという決定を下すことができる。なお、この場合、実際の支払いをコンテンツの受付許可の条件とするのではなく、支払いを約束する契約書の手交を条件とするものであっても構わない。
【００４８】
〔ステップＳ２３０〜Ｓ２５０：コンテンツ情報の入力〜記憶〕
廃棄物回収システム１からコンテンツ受付の許可を受けると、広告主は、広告主端末を使用しコンテンツ情報を入力し（ステップＳ２３０）、入力したコンテンツ情報をインターネット回線を通じて廃棄物回収システム１に送信する（ステップＳ２４０）。
【００４９】
廃棄物回収システム１は、広告主端末から送信されたコンテンツ情報を受信すると、記憶部３０と協働して、送信されたコンテンツ情報をコンテンツデータベース３１に登録する（ステップＳ２５０）。
【００５０】
図５に示すように、本実施形態において、コンテンツデータベース３１に登録されるコンテンツ情報には、コンテンツの実体的な内容である映像や画像、コンテンツの配信を希望する業種や職種であるターゲット、コンテンツの配信を希望するタイミングが含まれる。
【００５１】
例えば、広告主が人材紹介会社である場合、主に企業の人事部をターゲットとして広告を配信することを希望するだろうし、広告主がノートやペンなど事務用品の販売会社である場合、企業の様々な部門に対して広告を配信することを希望する。
【００５２】
また、広告主が弁当屋である場合、昼前の時間帯に広告の配信を希望するだろうし、広告主がフィットネスクラブである場合、午後の時間帯に、職場でできるストレッチの仕方のようなコンテンツを配信することを希望することができる。
【００５３】
また、広告主が地域性の高い事業を営んでいる場合、事業を営んでいる地域に関する情報をターゲットの情報に加えてもよい。そのようにすることで、より一層、広告を配信する利用者端末１００を絞り込むことが可能となる。
【００５４】
このように、実体的なコンテンツの内容に加え、コンテンツを配信したいターゲット、及び、コンテンツを配信したいタイミングを併せて登録できるよう構成することによって、よりきめの細かいコンテンツ配信システムを構築することができる。
【００５５】
特に、コンテンツの配信先が民間企業であることが多いため、このようにターゲットやタイミングを絞ったコンテンツの配信を行うことは、スムーズかつダイレクトな企業間取引につながりやすく、コンテンツとして配信される広告の効果を一層高めることができる。
【００５６】
従って、広告主が広告を出すモチベーションが得られやすいため、多くの広告主が本システムを使用することにつながり、廃棄物の回収及び処理に係る費用を広告主による広告費で賄うことができ、回収ボックスを社内に設置する利用者にとっても、余計な費用負担のないシステムを構築することができる。
【００５７】
また、必須の要件ではないが、コンテンツデータベース３１に登録されるコンテンツ情報には、配信される広告に対して利用者が取り得るアクションについての情報も含まれる。アクションについての情報とは、例えば、販売ページにリンクするＱＲコード（登録商標）の表示、販売ページのＵＲＬ（Ｕｎｉｆｏｒｍ  Ｒｅｓｏｕｒｃｅ  Ｌｏｃａｔｏｒ）の表示、電話番号の表示、割引クーポンを表示するページのＵＲＬの表示などが含まれる。
【００５８】
このように、広告に対するアクションについての情報を併せて登録することにより、利用者にとって使い勝手の良いシステムを構築することができる。
【００５９】
ステップＳ２１０〜Ｓ２５０において、広告主が複数いる場合、広告主ごとにコンテンツ受付の許可を発信し、各広告主のコンテンツに関する情報を、廃棄物回収システム１のコンテンツデータベース３１に記憶しておく。このようにして、広告主から送信されるコンテンツ情報に基づき、コンテンツデータベース３１を作成する。
【００６０】
なお、本実施形態においては、廃棄物回収システム１の運用を開始する前に、予めコンテンツ情報を記憶するようにしているが、これに限ったものでなく、廃棄物回収システム１の運用中においても、広告主の求めに応じ、コンテンツデータベース３１にコンテンツ情報を追加することが可能である。
【００６１】
〔ステップＳ２６０：コンテンツ配信スケジュールの作成〕
コンテンツデータベース３１が作成されると、廃棄物回収システム１の制御部１０は配信スケジュール作成モジュール１２を実行し、コンテンツデータベース３１に記憶されているコンテンツを利用者に配信するスケジュールを作成する（ステップＳ２６０）。配信スケジュールの作成にあたっては、「どの利用者に対し」「いつ」「どのコンテンツを」配信するかについて、コンテンツデータベース３１に記憶されているコンテンツ情報に基づいて決定される。
【００６２】
具体的には、図５に示すターゲットに関する情報に基づき「どの利用者に対し」配信するかを決定し、タイミングに関する情報に基づき「いつ」配信するかを決定する。このような配信スケジュールの作成を、すべての利用者の事業所に設置されている利用者端末１００に対して実行する。
【００６３】
なお、コンテンツが配信される回数やトータルの時間については、広告主が支弁する広告費に応じて決定されるものであってよい。
【００６４】
〔ステップＳ２７０〜Ｓ２８０：コンテンツの配信〜表示〕
廃棄物回収システム１の運用が開始されると、廃棄物回収システム１の制御部１０は、通信部２０及び記憶部３０のコンテンツデータベース３１と協働して、コンテンツ配信モジュール１３を実行し、ステップＳ２６０で作成されたコンテンツ配信スケジュールに従って、各利用者端末１００に対しコンテンツを配信する（ステップＳ２７０）。また、各利用者端末１００に対しコンテンツが配信されると、廃棄物回収システム１の制御部１０は、通信部２０と協働してコンテンツ表示モジュール１４を実行し、各利用者端末１００のディスプレイ１３０にコンテンツを表示させる（ステップＳ２８０）。
【００６５】
〔ステップＳ２９０：広告へのアクション〕
図６に、廃棄物回収システム１により利用者端末１００に配信され、回収ボックス１１０のディスプレイ１３０に表示されるコンテンツ２００の一例を示す。この例では、広告主である事務用品を販売する企業が配信するコンテンツを示している。コンテンツには、利用者がコンテンツに対してアクションする手段として、注文ページのＵＲＬ及びＱＲコードが表示されている。すなわち、利用者は、必要に応じて、利用者の端末のブラウザ上でこのＵＲＬを打ち込み、注文ページを表示させることもできるし、スマートフォンなどの携帯端末によってＱＲコードを読み取り、スマートフォン上に注文ページを表示させることもできる。
【００６６】
また、利用者端末をタッチパネルによって構成し、画面や画面上に表示される特定の画像をタップすることで注文ページを表示するよう構成することもできる。このように、利用者がコンテンツに対してアクションする手段をコンテンツが備える構成とすることにより、即座に購買行動につながりやすく、スムーズかつダイレクトな企業間取引を実現することが可能なシステムを構築することができる。
【００６７】
また、前記アクションする手段として、注文ページのＵＲＬの表示、注文ページのＱＲコードの表示、タッチパネルの操作のうち少なくともいずれか一つを備えているため、直観的で誰にでも操作がしやすく、即座に購買行動につながりやすいシステムを構築することができる。
【００６８】
さらに、コンテンツが配信された回数に対して購入に至った回数をカウントすることができるため、広告に対する実際のコンバージョン率を測定することが可能となり、広告主にとっては、廃棄物回収システム１を利用した広告がどの程度の効果を持つか計測することができ、また、利用者にとっては、利用者端末を用いて容易に注文することができるという、広告主及び利用者双方にとって有益なシステムを構築することができる。
【００６９】
以上のように構成することにより、広告主によって支弁される広告費によって、廃棄物の回収及び処理の費用を賄うことができるシステムを構築することが可能となる。それにより、利用者にとっては文書等の廃棄物処理に係る人件費及び外注費を削減することができ、広告主にとっては、企業間取引の機会を得ることができ、双方にとってメリットのあるシステムを構築することが可能となる。
【００７０】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００７１】
１      廃棄物回収システム
１０    制御部
１１    コンテンツ受付モジュール
１２    配信スケジュール作成モジュール
１３    コンテンツ配信モジュール
１４    コンテンツ表示モジュール
２０    通信部
３０    記憶部
３１    コンテンツデータベース
４０    入力部
５０    表示部
１００  利用者端末
【図１】
2020026375.tif 000003
【図２】
2020026375.tif 000004
【図３】
2020026375.tif 000005
【図４】
2020026375.tif 000006
【図５】
2020026375.tif 000007
【図６】
2020026375.tif 000008
【手続補正書】
【提出日】平成30年11月22日(2018.11.22)
【手続補正１】
【補正対象書類名】特許請求の範囲
【補正対象項目名】全文
【補正方法】変更
【補正の内容】
【特許請求の範囲】
【請求項１】
利用者によって排出される廃棄物を投函するために、前記利用者の事業所内に設置される利用者端末と接続される廃棄物回収システムであって、
広告主から広告費の支払いを受けるのと引き換えにコンテンツの提供を受け付けるコンテンツ受付手段と、
広告主から提供される前記コンテンツに関する情報であるコンテンツ情報を記憶するコンテンツ情報記憶手段と、
前記利用者端末に前記コンテンツの配信を行うコンテンツ配信手段と、
前記利用者端末に配信された前記コンテンツを、前記利用者端末に設けられたディスプレイに表示させるコンテンツ表示手段と、を備え、
前記コンテンツ表示手段は、廃棄物回収システムのコンテンツ表示モジュールが、現在収容されている前記廃棄物の量と対応するノベルティの種類を前記ディスプレイに表示させる、
廃棄物回収システム。
【請求項２】
前記コンテンツ情報記憶手段に記憶された前記コンテンツ情報に基づいてコンテンツ配信のスケジュールを作成する配信スケジュール作成手段をさらに備え、
前記コンテンツ配信手段は、前記配信スケジュール作成手段が作成したコンテンツ配信のスケジュールに基づいて利用者端末にコンテンツの配信を行う、請求項１に記載の廃棄物回収システム。
【請求項３】
前記利用者端末に表示される前記コンテンツが、利用者が前記コンテンツに対してアクションする手段を備える、請求項１又は２に記載の廃棄物回収システム。
【請求項４】
前記アクションする手段が、タッチパネルによる操作、ＵＲＬの表示又はＱＲコードの表示の少なくともいずれか一つによって構成される、請求項３に記載の廃棄物回収システム。
【請求項５】
前記コンテンツ情報が、前記コンテンツを配信するターゲットに関する情報及び／又はコンテンツを配信するタイミングに関する情報を含む、請求項１〜４のいずれかに記載の廃棄物回収システム。
【国際調査報告】
2020026375.tif 000009
2020026375.tif 000010